(57)【要約】      （修正有）【課題】スノーボードのソフトブーツをブーツホルダーに固定して、該ブーツホルダーをスリップオン受具に着脱させる方式のスリップオンバインディングにおいて、ブーツホルダーに取り付けたリリーサーと、一端に取っ手を組み合わせ他端にフックを設けた引き紐とを用いる事により立ったままスノーボードから片方の足を外す事が可能になる方法を提供する。【解決手段】回転盤１に巻きつけたワイヤー１１を引く事で回転盤を動作させ、その回転盤にリリーサピン３を設けた事を特徴としている。ブーツホルダーに取り付けたリリーサーの回転盤に巻きついたワイヤーを、引き紐受け具、引き紐を介して遠隔位置から引く力を伝達し、その結果リリーサピンを回転させる事により開放レバーＢ１を操作する事を特徴としている。【選択図】図１
2008086577.tif 000002
【特許請求の範囲】
【請求項１】
ソフトブーツを保持するブーツホルダーを、スノーボードに固定したスリップオン受具に着脱させる方式のスノーボード用スリップオンバインディングにおいて、前記ブーツホルダーに取り付けたリリーサーを遠隔操作して、スリップオン受具の開放レバーを作動させる事により、前記ブーツホルダーを前記スリップオン受具から離脱させる事を特徴としたスリップオン受具の開放レバー操作方法。
【請求項２】
側面にリリーサピンを取り付け、かつスプリングを組み込んだ回転盤を、外周に巻いたワイヤーを引く事で回転させ、スリップオン受具の開放レバーを作動させる事を特徴とした特許請求項１のスリップオン受具の開放レバー操作方法。
【請求項３】
回転盤の外周に溝と、内側平面にスプリングが収まる凹部と、外側平面にリリーサピンを設け、次に前記回転盤の外周溝にワイヤーを巻きつけ、一端を前記回転盤に固定し、他端をワイヤー保持穴を通してのち引き紐受具に連結する。しかる後、前記回転盤の内側平面凹部にスプリングを取り付けて回転盤軸に組み合わせ、前記引き紐受具に引き紐を連結した事を特徴とした特許請求の範囲第１項および第２項によるところのスリップオン受具の開放レバー操作器具。
【請求項４】
回転盤の上部横にプーリーを設け、ワイヤー保持穴の位置を変更した事を特徴とした特許請求の範囲第１項、第２項および第３項によるところのスリップオン受具の開放レバー操作器具。
【請求項５】
大ワイヤー止めとワイヤー保持穴の間に圧縮バネを設置し、前記圧縮バネの中をワイヤーを通した事を特徴とした特許請求の範囲第１項、第２項、第３項および第４項によるところのスリップオン受具の開放レバー操作器具。
【請求項６】
柔軟なパイプにワイヤーを通した構成であるカバー付ワイヤーの一端に取っ手を設け、他端にフックを設け、前記カバー付ワイヤーのカバーに保持ベルトを設けた構成の引き紐を組み合わせた事を特徴とした特許請求の範囲第１項、第２項、第３項、第４項および第５項によるところのスリップオン受具の開放レバー操作器具。
【請求項７】
引き紐受具に連結した引き紐を、無線によるスイッチ操作を可能としたモータを用いた巻き取り機での操作をする事を特徴とした特許請求の範囲第１項、第２項、第３項、第４項および第５項によるところのスリップオン受具の開放レバー操作器具。
【発明の詳細な説明】
【技術分野】
【０００１】
本発明はソフトブーツと呼ばれる、比較的底部も柔らかい靴を利用するタイプのスノーボードのバインディングに関するものであり、その中の特にスリップオンバインディングにおいて利用される発明である。スリップオンと呼ばれるバインディングは、通常はスノーボードに直接固定されていたバインディングを、スノーボードに自在に着脱させる方式であり、市販のソフトブーツをそのままステップインに利用できる特徴があるが、本発明はそのスリップオンバインディングをより便利にする事を可能としたものである。
【背景技術】
【０００２】
従来、スノーボードのバインディングはストラップ式とステップイン式の２つに分類されていた。ストラップ式はスノーボードにネジで直接固定され、それに組み合わせたヒールカップ、ハイバック、及びベルト類を用いて靴を固定するところのバインディングであり、ステップイン式は、靴底部に金属の部品を組み込んで、その金具を利用してスキー靴のステップインのように作動する。
後者のステップイン式は、スキー靴のステップインをそのまま真似て開発されたものであり、靴の硬さ特に金属部品を組み込む靴底部の強度が必要なシステムであり、柔らかい靴を好むスノーボーダーには受け入れられなかった。それは数年前に大がかりな宣伝と期待で市場に現れたにもかかわらず、現在スポーツショップの店頭から姿を消してしまったと言えるほど売り場面積が縮小されている事実から容易に証明できる事である。
【０００３】
そのような、ステップインバインディングの失敗から、ソフトブーツを多くのメーカーの市販品の中から自由に選べ、柔らかいまま使える事を特徴にしたスリップオンバインディングと呼ばれる方式が開発され、大きな注目を集めている。特開平８−３０８９７７、や実用新案登録第３０９６６１０号などに代表されたこの方法は、靴を一旦ブーツホルダーに装着して、それからスノーボードに固定したスリップオン受具に着脱させるという一見、二重手間のような方法であるが、スノーボードの柔らかい靴を絶対の条件にしていたスノーボーダー達で、しかもリフト周りでの簡単な着脱を求める人達に大いに賞賛され、更なる発展を期待されている事は理に適った結果と推測される。
【０００４】
以下はスキー靴に類似した硬いブーツを利用するスノーボードに関する特許文献である。
【特許文献１】ＥＰＯー０９６６９９４
【特許文献２】ＥＰＯ０９５９７０２
【特許文献３】ＵＳＰ５０３５４４３
【特許文献４】ＵＳＰ５３５４０８８
【特許文献５】ＵＳＰ５９７１４２２
【発明の開示】
【発明が解決しようとする課題】
【０００５】
特許第３６７７７５１号によるスリップオンと呼ばれるスノーボードバインディングは、装着する場合はスノーボードを踏みつけるような動作だけで行えるが離脱させる場合は開放レバーを操作してロックを外しブーツホルダーを持ち上げる動作が必要であるが、この開放レバーは使用状況の問題からできるだけ小さく構成する必要があった。
スノーボードにはスケーティングと呼ばれる片足での滑走動作が必要不可欠であるが、スケーティングの時は、前側足をボードに固定したまま、後側足を自由にしておき、この後側足で雪面を後方に蹴る動作をして片足乗りの状態で前方に滑り出す訳であり、この時に固定されていない後ろ側足は、空中に持ち上げたままであったり、ボードの好きな所に暫定的に乗せて置かれたりと、いろいろな動作をしなければ成らない。そのため前足側の各装置や、後側足のスリップオン受具に強く衝突するのは避けられない事であった。
【０００６】
すなわち開放レバーを大きくすると、スケーティングの時や踏み込む前の準備動作でスリップオン受具（Ｂ）の近くに足を移動した時に、開放レバー（Ｂ１）自体を蹴飛ばしたり、踏んでしまう事になり破損してしまう問題があった為である。
しかし、この開放レバー（Ｂ１）は大きな手袋をつけた状態で操作する為にはできるだけ大きいほうが楽であるという相反する問題を抱えていた。又、操作時にしゃがむ事が必要であるが、この動作もなかなか大変な事でもあった。
このような問題から開放レバー（Ｂ１）はできるだけ小さく、且つ立ったまま操作される方法が求められていた。
【０００７】
できるだけ小さい開放レバーで、かつ立ったままリリース操作が可能となる補助具が求められていた訳であるが、その為には開放レバーを動かすリリーサピンには、開放レバーの下側から潜るように入り込み、しかる後に持ち上げる動作が要求され、かつ平常時はスケーティングの際に周囲の部品に衝突しても破損する危険を避けられる安全な位置に退避させておき、目的の動作が必要なときだけ開放レバーの下方に出てくる状態が求められていた。
【０００８】
本発明研究の初期実験では単純なリンク機構を利用したレバー、コンロッドの部品構成でリリースピンを動作させたが、この方法ではリリーサピンを安全な位置に退避させる事は不可能だった。すなわち壊さないように細心の注意を払いながら使用しなければならなかった為に商品化は不可能な状態であった。
リリーサーピンを平常時はスリップオンベースの高さより高い位置に退避させて置くことにより、スリップオンベース始めその他の反対側の足に装着された部品との衝突を防止される方法が求められていたが、単にリンク機構を利用した構成だけでは解決する事は不可能なことであった。
。
【課題を解決するための手段】
【０００９】
上記の問題を解決するための本発明は、回転盤（１）に巻きつけたワイヤー（１１）を引く事で回転盤を動作させ、その回転盤にリリーサピン（３）を設けた事を特徴としている。ブーツホルダーに取り付けたリリーサーの回転盤（１）に巻きついたワイヤー（１１）を、引き紐受け具、引き紐を介して遠隔位置から引く力を伝達し、その結果リリーサピン（３）を回転させる事により開放レバー（Ｂ１）を操作する事を特徴としている。
【発明の効果】
【００１０】
このリリーサピンの他の部品との衝突による破損問題を解決できた事が本発明の大きな特徴と言えるが、本発明により立ったままでスリップオンバインディングの開放レバーの操作を、紐を引くだけでいとも簡単に行えるようになる補助具の実用化が可能となり、特許第３６７７７５１号によるスリップオンバインディングの便利さが一段と向上した。
【００１１】
引き紐受具は、通常の紐を結ぶ事が出来れば良いだけであり、本発明ではリング（１４）と、ワイヤーコース（１５）を用いた例が挙げられているがその他多くの形のものが利用できることは当然である。また、それに連結される引き紐は、引く力を伝える事が出来れば良いだけであり、ナイロン紐、ワイヤー等からなる引き紐が用いられるが、当然連結部には既知の多くのフック類を利用でき本発明には影響しない部分であるので詳しい説明は省略する。また手で引く部分は、持ちやすい形状、大きさ、材質の取っ手（１８）が組み合わせられるのが合理的である、この部分も周知の材質、方法の部分であるため本発明の説明では詳細は省かれている。参考までに一例をあげると、手で持つ部分に小さなマスコットをつけた例などがあげられる。また、引き紐が途中でブラブラしない様に中間に紐を通すリングを有した保持ベルト（１７）をつけひざの部分にマジックベルトで固定される。その他、引き紐を保持する為には、ナイロン紐を通す輪を数箇所ウェアーに直接に縫い着ける等も考えられるが、この場合は長さ、位置が自由にでき、価格的にも安価になる便利さがある。
【００１２】
引き紐がワイヤーの場合は、自転車のブレーキなどに使われる構造のようなコイルで保持されているカバー付ワイヤー（１９）が考えられるが、途中で絡んだりすることがなく操作しやすいので便利である。これらのワイヤー、ナイロン等の引き紐から上方向に引く力を加えられることにより、リリーサーピン（３）は開放レバー（Ｂ１）に下方から掬い上げる様に作用し、結果としてロックを解除する事が立ったまま可能となる。
【発明を実施するための最良の形態】
【００１３】
基盤（７）及び各部品は、高機能プラスチックやアルミニュウム等の材質で構成され軽量化される事が望ましいのは当然であるが、開放レバー（Ｂ１）とブーツホルダーピラー（Ｈ１）との隙間に収まるべく各板圧、大きさ考慮して構成される。開放レバー（Ｂ１）は下から上に持ち上げるように作動してロックを開放する場合と、上から下に押し下げられてロックを開放する場合がある、本発明はいずれの開放方向にも有効であることは当然であるが、図１においては前者の例での配置を用いて説明している。
【００１４】
すなわち引き紐受具を上方向に引く事により、リリーサーピン（３）は下方に回転を始めやがて、開放レバー（Ｂ１）の下側に回りこむ、しかる後、開放レバー先端部に作用して持ち上げるように動作する事になる。回転盤（１）は内側に組み込まれたスプリングにより元の位置に戻るように構成されるが、スプリングの種類、位置は多くの方法が周知の事であり、発明の本質ではないので、本説明ではトーションバネ（１６）を用いた一例を挙げるにとどめる。
【００１５】
本実施例では、回転盤（１）の内側面を凹状に旋削しその隙間にトーションバネを組込んである。リリーサーピン（３）の回転盤（１）に対する取り付け方法はネジを利用することや、かしめ、溶接等で固定する方法も考えられる。また、リリーサピンにボールベアリングを組み合わせ動作をスムースにする事も有効である。本実施例では螺子を用いてリリーサピンを固定した例を用いて説明している。ピンの太さは開放レバーとの兼ね合いで決定させるが、回転盤を高機能プラスチックで構成する場合はリリーサーピンも一体に構成し、ボールベアリングをリリーサピンに組みつける事も有効である。又、リリーサーピン（３）の形状は必ずしも丸棒とは限られず、開放レバー（Ｂ１）の先端形状に合わせた合理的な形状が選ばれ、かつ、回転盤（１）の外周から飛び出した位置関係になる事も可能である。ブーツホルダーを装着しスリップオンした時に、開放レバー（Ｂ１）、とリリーサーピン（３）が衝突することがないように構成される事は当然である。
【００１６】
回転盤（１）に巻きつけられたワイヤー（１１）は端部はワイヤーの外径より太いパイプをロウ付けや圧着などで接合されその方法技術はすでに公知の事であるが、本発明においてもどの方法を利用しても良いが本実施例では回転盤に固定する方法としては、回転盤に設けた穴の径と同じ太さのパイプを回転盤の板圧と同じ厚さに切り、小ワイヤー止めを構成し、該、小ワイヤー止めのパイプ側面にワイヤーを通しロウ付けする方法が取られている。回転盤の外周溝とワイヤー止め挿入穴との接線にワイヤーと同じ幅の溝を設け、ワイヤー止め挿入穴に通したワイヤーを外周溝に導いた。ワイヤーのもうひとつの端は  同じように大ワイヤー止めを設けてロウ付けで固定されたが、大ワイヤー止めは引き紐受けのリングを通せる太さに構成し、引き紐のフックを掛けられるように構成されている。
これらの構成はかしめによるワイヤーの端処理も有効で、ワイヤーコースを用いて引き紐受け部とした場合、大ワイヤー止めは単にパイプをかしめて固定するだけの為のもので良くなる。いずれの方法を利用しても良い事は当然で本発明の本質に関わる部分では無い。
【００１７】
図１はリリーサーをブーツホルダーに取り付けた説明図である。ブーツホルダーのハイバック等は省略されている。図２はリリーサーの透視説明図である。リリーサーピン（３）の回転方向と回転角度はワイヤ（１１）の巻き方向と巻き数で自由に決められる事は大きな特徴であり、図２においては巻き方向を図１とは異なる方向で示している。リリーサーピン（３）とリリーサーワイヤ止め（４）の位置は当然自由に決められるものであり、特にリリーサーピン（３）の位置は、その取り付け方法を考慮すれば回転盤（１）の半径を超えた位置でも可能である。
【００１８】
図３は、リリーサーの側面図である。紐受け部は引き紐用リング（１４）を用いた例である。図４は回転盤（１）の断面図である。図５は回転盤（１）の平面図である。図６は請求項５における本発明の説明図であって引き紐固定ベルト(１７)は膝付近にマジックベルトで止められる。カバー付ワイヤー（Ｍ）は自転車のブレーキにも使用されている公知のものである。ワイヤーの一端に、手で引く時の動作が容易になるようにリリーサー取手（Ｌ）を取り付け、他端をリリーサー紐受具（５）に連結する。連結方法は特別に制約を受けるものではなく公知のどのような方法も選択できる。保持ベルト（Ｎ）は膝上部付近に巻き付けて固定できるマジックベルト(商品名）などが有効であるが、ウエアーに専用の保持部を設けておき、保持ベルトの役を担わせる事も可能である、いづれにしろカバー付ワイヤー（Ｍ）の上部を保持し、リリーサー取手（Ｌ）を膝付近に保持して置く目的を達成すればよい。
【００１９】
図７は請求項４における本発明の説明図であって、ワイヤー保持穴位置を変化させた例を示した実施例であり、プーリー（１６）を回転盤（１）の上部横に設けてワイヤーを通し、引き紐位置を変化させる事が可能な例を示している。基盤(７)にはプーリーを固定する軸が設けられる事は当然であり、軸の固定法は溶接、螺子止め、かしめ等が考えられる。本請求項の場合、引き紐受け具をブーツホルダー後方に設ける場合に有効であり、バックル（Ｈ９）との干渉を避ける場合に有効である。図８は請求項５における本発明の説明図であってワイヤー保持穴から出てきたワイヤーを圧縮バネ(２０)を通して引き紐受け具に接続し、ワイヤー保持穴より上部に出たワイヤーが自由に遊ぶ事を規制するものである。本発明により組み立てる場合にワイヤーの長さの誤差により遊びが出来る事を防止し、組み立てが容易になった。
【００２０】
引き紐は柔軟で且つ引く力を伝えられれば良く、金属、プラスチックを問わずどんな材質であっても利用可能なことは当然で、かつその両端には連結を容易にする既知のフックを用いる事もまた当然可能である。  一般にキーホルダーに紐がついた製品が市場に多数ありそれらに用いられたフックと紐の構成に本発明の引き紐に利用可能なものが多数見受けられ公知の事なので詳しい説明は省略する。また引き紐自体もバネを組み合わせ元に戻る力を与える事は有効である、引いた後に元に戻る力は、引き紐受け具に新たに引きバネを取り付けても、引き紐のフックに取り付けても良くその手段はスプリングに限らずゴム紐等も考えられいずれの方法を利用しても良い。
【産業上の利用可能性】
【００２１】
本発明により特許第３６７７７５１号のソフトタイプのブーツを利用するスノーボードにおけるスリップオンバインディングの操作性が格段に向上し、開放レバーを最小限に縮小する事も可能となり誤動作による破損も防止することが可能となった。
【図面の簡単な説明】
【００２２】
【図１】請求項１の実施例を示した説明図である。
【図２】リリーサーの側面説明図である。
【図３】リリーサーの断面説明図である。
【図４】回転盤の断面図である。
【図５】回転盤の平面図である。
【図６】実施例を示した説明図である。
【図７】実施例を示した説明図である。
【図８】実施例を示した説明図である。
【符号の説明】
【００２３】
１      回転盤
２      外周溝
３      リリーサピン
３´    リリーサピンネジ穴
４      ワイヤ止め挿入穴
５      バネ取り付け穴
６      過回転防止ピン穴
７      基盤
８      ワイヤー保持穴
９      回転盤軸
１０    基盤取付穴
１１    ワイヤー
１２    小ワイヤー止め
１３    大ワイヤー止め
１４    引き紐用リング
１５    ワイヤーコース
１６    トーションバネ
１７    引き紐固定ベルト
１８    取っ手
１９    カバー付きワイヤ
２０    圧縮バネ
Ａ      ソフトブーツ
Ｂ      スリップオン受具
Ｂ１    開放レバー
Ｃ      スノーボード
Ｈ      ブーツホルダー
Ｈ１    ブーツホルダーピラー 
Ｈ２    ロックピン
Ｈ３    つま先クッション
Ｈ４    踵クッション
Ｈ５    ヒールカップ  
Ｈ６    ハイバック
Ｈ７    アンクルストラップ
Ｈ８    ラダーベルト
Ｈ９    バックル
Ｈ１０  トウストラップ
【図１】
2008086577.tif 000003
【図２】
2008086577.tif 000004
【図３】
2008086577.tif 000005
【図４】
2008086577.tif 000006
【図５】
2008086577.tif 000007
【図６】
2008086577.tif 000008
【図７】
2008086577.tif 000009
【図８】
2008086577.tif 000010